(57)【特許請求の範囲】
【請求項１】
遊技機の所定個所に取り付けられる台板と、前記台板の前面に固着され遊技機の遊技状態を制御する回路基板と、前記回路基板を覆うようにして台板に取り付けられる上面が透明な箱状のカバー体とからなり、
前記台板の一側辺には該台板に前記カバー体を取り付けた状態で該カバー体の一側壁と重合する支持片を突設すると共に、互いに重合する前記台板の支持片と前記カバー体の一側壁の双方には互いに貫通する方形の小窓を開設し、該小窓に一旦挿入すると引き抜きが不可能となる係合部材を装着してなる遊技機における基板収納ケースであって、
前記係合部材は、方形の取付板の中央から柱部を垂直に突設し、該柱部を挟んで八の字状に裾開きする２枚の係止片部を設けて形成し、
他方、前記台板の支持片の内側に前記小窓を囲み且つ前記係合部材を収める囲い枠を設け、該囲い枠は該係合部材の外郭形状に対応した形状であることを特徴とする遊技機における基板収納ケース。
【請求項２】
遊技機の所定個所に取り付けられる台板と、前記台板の前面に固着され遊技機の遊技状態を制御する回路基板と、前記回路基板を覆うようにして台板に取り付けられる上面が透明な箱状のカバー体とからなり、
前記台板の一側辺には該台板に前記カバー体を取り付けた状態で該カバー体の一側壁と重合する支持片を突設すると共に、互いに重合する前記台板の支持片と前記カバー体の一側壁の双方には互いに貫通する方形の小窓を開設し、該小窓に一旦挿入すると引き抜きが不可能となる係合部材を装着してなる遊技機における基板収納ケースであって、
前記係合部材は、方形の取付板の中央から柱部を垂直に突設し、該柱部を挟んで八の字状に裾開きする２枚の係止片部を設けると共に、該柱部の先端に該柱部に沿って突出する頭部を形成し、
他方、前記台板の支持片の内側に前記小窓を囲み且つ前記係合部材を収める囲い枠を設け、該囲い枠には該係合部材の頭部が外部に突出する透孔が貫通穿設されていることを特徴とする遊技機における基板収納ケース。
【発明の詳細な説明】
【０００１】
【発明の属する技術分野】
本発明は、パチンコ遊技機やスロットマシンなどの遊技機に取り付けられ、その遊技動作を制御するための基板収納ケースに関するものである。
【０００２】
【従来の技術】
一般に、この種の遊技機には所定個所にその遊技動作を制御する回路基板を内装した基板収納ケースが取り付けられる。該基板収納ケースは、遊技機に取り付けられる台板と、該台板の前面に固着されマイクロコンピュータのＣＰＵ，ＲＯＭ等の電子部品が多数装備される回路基板と、前記台板とほぼ同じ大きさからなり、回路基板を覆うようにして台板に取り付けられる箱状のカバー体とからなり、これらを重ね合せ、更にカバー体に螺子を挿通して締め付けることにより一体に組み付けている。
【０００３】
【発明が解決しようとする課題】
しかしながら、近時パチンコホールにおいて回路基板のＲＯＭを勝手に改造してゲームに賭博性を持たせるといった不正行為が頻発しており、これを防止するために、前記台板とカバー体間に跨がるようにして破損し易い封印紙を貼着し、該封印紙が破損していた場合には不正なＲＯＭ交換が行なわれたとみなしていた。ところが、前記封印紙を巧妙に剥がし内部のＲＯＭを交換した後、再度封印紙を元通りに貼り付けておくといった巧妙な不正行為が行なわれ、封印紙を一見しただけでは前記不正が行なわれたか否かが分らないという課題が生じている。
【０００４】
そこで、このような不正行為ができないようにするめに、例えば特開平６−２６９５３９号公報に開示される基板収納ケースが有る。該基板収納ケースは、箱体と該箱体を覆うカバー体とからなり、箱体の内側壁とカバー体とを外部から解除することができない係止垂下片と係止突起とからなる係止手段で係止するようにしている。これによれば、基板収納ケースの開封は係止垂下片を切断する以外に方法がなく、係止垂下片が切断されていれば不正な処理がなされたことが直ちに分かるようになっている。ただ、一旦係止垂下片を切断した基板収納ケースは、再利用することができないという難点が有る。
【０００５】
これに対し、回路基板を収納して密封した基板収納ケースは、ＲＯＭ内容の対比照会検査のため、例えば基板収納ケースを取り付けた遊技機の製造メーカー、更にパチンコホールでの遊技機の設置時などの検査や故障の際には何れも開封する必要があり、このため基板収納ケースに複数回の開封及び密封が可能な構造形態が求められている。
【０００６】
本発明は上記した課題並びに要望に鑑みてなされたもので、内部に収納された回路基板のＲＯＭを交換して勝手に改造するといったことができず、しかも、検査や修理による開封後において、複数回の開封及び密封ができ、基盤収納ケースの再利用を可能とし、更に収納ケース自体も構造が簡単で製作が容易な遊技機における基板収納ケースを提供するものである。
【０００７】
【課題を解決するための手段】
かかる目的を達成するために、本発明に係る遊技機における基盤収納ケースは、遊技機の所定個所に取り付けられる台板と、該台板の前面に固着され遊技機の遊技状態を制御する回路基板と、前記回路基板を覆うようにして台板に取り付けられる上面が透明な箱状のカバー体とからなる基板収納ケースにおいて、前記台板とカバー体とは互いの下端縁を係合させて、該台板の上側の支持片とカバー体の上側壁を重ね合わせて取り付け、前記台板の支持片と前記カバー体の上側壁に互いに重合貫通する方形の小窓を開設し、方形の取付板の中央部から柱部を一体に突設すると共に、該柱部の頭部部辺から一体に突設されて前記柱部を挟んで八の字状に裾開きする２枚の対称する係止片部を設けて形成した係合部材を、前記小窓に該係合部材が無用に引き抜き不可能に装着してなる。また、前記台板の支持片の内側に前記小窓を囲み且つ該係合部材を収める囲い枠を設けて、係合部材が無用に引き抜き不可能にして形成される。
【０００８】
なお、前記係合部材は方形の取付板の中央部から板状の柱部を一体に突設すると共に、該柱部の頭部部辺から一体に突設させて前記柱部を挟んで八の字状に対称して裾開きする２枚の板状の係止片部を設けて形成し、一方の係止片部を他方の係止片部より細幅にすると共に、前記柱部を前記一方の係止片部より更に細幅にして形成してなるのが好ましい。
【０００９】
また、前記係合部材は一方の係止片部の一方若しくは両側の辺に少なくとも一個の切欠部を設け、前記柱部の一方若しくは他方の辺の前記係止片部の切欠部に対応する個所に少なくとも一個の切欠部を設けてなるのが好ましい。また、前記柱部の切欠部は係止片部の切欠部より大きく形成するのが好ましい。
【００１０】
更に、前記カバー体の内側には小窓を囲んで前記係合部材が収められる囲い枠を設け、該囲い枠は前記係合部材の外郭形状に対応した形状の小室を形成してなるのが好ましい。
【００１１】
更に又、前記カバー体の内側には小窓を囲んで前記係合部材が収められる囲い枠を設け、該囲い枠の下端壁に透孔を貫通穿設し、前記係合部材の頭部が前記透孔から囲い枠の外部に突出されて挿着してなるのが好ましい。
【００１２】
なお更に、前記係合部材は、細幅になる係止片部又は切欠部を設けた一方の係止片部を前面側にして小窓に装着するのが好ましい。そして、台板の支持片及びカバー体の上側壁に設けた小窓は方形又は多角の角形に形成し、該小窓に装着された係合部材が回動することなく、一方の係止片部が前面側に固定維持できるようにするのが好ましい。
【００１３】
前記予備の係合部材は、カバー体の外周側面に切り離し容易に複数設けるのが好ましい。
【００１４】
【発明の実施の形態】
以下、本発明に係る遊技機における基板収納ケースの実施の形態を図面と共に説明する。なお、遊技機にはパチンコ遊技機，スロットマシン等が有るが、その一例としてパチンコ遊技機について説明する。図１は本発明が適用されるパチンコ遊技機の裏面図、図２は本発明が適用される基盤収納ケースがパチンコ遊技機の裏面に設置されて示す要部拡大斜視図である。図中、１は機枠であり、該機枠１に装着される前面枠２の裏面に遊技盤取付枠３が固着され、該遊技盤取付枠３に遊技盤４が装着されている。 そして、遊技盤取付枠３の一側には遊技盤４の裏面全体を覆う合成樹脂製の機構板５が開閉自在に装着されている。
【００１５】
前記機構板５の裏面にはその上部にパチンコ球を貯留する球タンク６，該球タンク６から流下するパチンコ球を整列流下させるタンクレール７，またその一側部に該タンクレール７から流下するパチンコ球の球圧を弱めるカーブ樋８，該カーブ樋８からパチンコ球を受け入れる球払出装置９，該球払出装置９から払い出された所定個数のパチンコ球を誘導する球排出樋１０等がそれぞれ配設されている。
【００１６】
また、前記機構板５のほぼ中央に窓口１１が開設され、該窓口１１に臨んで前記遊技盤４の裏面と対応する機構板５の前側に入賞球集合カバー１２が設けられ、該入賞球集合カバー１２の裏面に本発明に係わる基板収納ケース１３が装着されている。なお、１４は遊技盤４面に装着された可変表示装置（図示せず）の後方部分を覆い保護する保護カバーである。また、前記基板収納ケース１３は入賞球集合カバー１２の裏面に限らず、例えば前面枠２の裏面下部など他の個所に装着しても良い。
【００１７】
前記基板収納ケース１３は、図３及び図４に示すように前記入賞球集合カバー１２の裏面にビス１５により取付けられる台板１６と、該台板１６の前面に固着されパチンコ遊技機の遊技状態を制御する回路基板１７と、前記台板１６とほぼ同じ大きさからなり回路基板１７を覆うようにして台板１６に取付けられるカバー体１８とからなる。
【００１８】
前記台板１６は回路基板１７に合致する縦長長方形の金属板１６ａからなり、左右両側端縁に表側へ直角に折れ曲る折り曲げ片部１９，１９を有する。該金属板１６ａの四隅角部にはねじ孔２０を穿設した突起２１，２１…が設けられている。そして、金属板１６ａの上側端縁に表側へ直角に折れ曲る支持片２２が一体に設けられ、下側端縁の略中央部には該下側端縁に沿って所定幅で且つ所定長さの凹欠部２３が設けられている。また、前記金属板１６ａの外周縁には適宜位置に取付片部２４，２４…が延設され、該各取付片部２４，２４…に前記入賞球集合カバー１２の裏面に取付けるためのビス１５，１５…が挿通される透孔２５，２５…が貫設されている。
【００１９】
前記回路基板１７は周知のように縦長長方形をなすプリント配線基板よりなり、その上面にＲＯＭ２６，ＣＰＵ２７及びその他各種の電子部品２８が関連付けられて配置されている。２９，２９…は回路基板１７の一側に複数列設された入出力用コネクターである。また、回路基板１７の四隅角部には前記台板１６の各突起２１，２１…のねじ孔２０と連通する止着孔３０，３０…が貫設され、該各止着孔３０，３０…にビス３１を挿通して各ねじ孔２０，２０…に螺締することにより回路基板１７を台板１６に固着される。
【００２０】
なお、前記ＲＯＭ２６，ＣＰＵ２７及びその他の電子部品２８は回路基板１７の止着孔３０で囲まれる領域内に設置し、前記入出力用コネクター２９を止着孔３０より外側領域に設置される。
【００２１】
前記カバー体１８は、台板１６の金属板１６ａにほぼ対応した大きさからなり、裏面が開放し前記回路基板１７の入出力用コネクター２８，２８…側を残した全面を覆う箱形状を成すと共に下側壁１８ａの下縁には、前記台板１６の下縁の凹欠部２３に嵌め込める掛止片３２が内方へ曲折形成されている。また、カバー体１８の前面は周囲に所定幅の枠部３３を残した開放面３４とし、該開放面３４に透明な合成樹脂からなる透明板３５が被覆設置される。該カバー体１８は前記枠部３３の全体に所定間隔を置いて複数の小孔３６が穿設され、前記透明板３５の裏面の周囲に複数の突子３７を突設し、そして該突子３７を前記カバー体１８の枠部３３に設けた小孔３６に圧入することにより透明板３５を被覆設置する。
【００２２】
本発明において、前記台板１６の支持片２２には、前記回路基板１７を組立てた状態で、該回路基板１７より前側となる位置に方形の小窓３８を貫通穿設すると共に、前記カバー体１８の上側壁１８ｂに前記台板１６の小窓３８と重合貫通する小窓３９を貫通穿設して、前記台板１６にカバー体１８を取り付けた状態で、係合部材４０を小窓３９から小窓３８へ挿入して装着する。該係合部材４０は、該カバー体１８が自然に外れないようにする係止機能と同時に、カバー体１８が無用に開封されることのないようにする解除不能となし得る封印機能を併せ備えた係合手段である。
【００２３】
前記係合部材４０は、図５及び図６に示すように、合成樹脂材により方形になる取付板部４１の中心から板状になる柱部４２を一体に起立突設すると共に、該柱部４２の上方に頭部４３を残した位置から板状になる二枚の係止片部４４ａ，４４ｂを一体に突設設置して形成される。前記柱部４２は上端より下端が広い台形に形成されて、取付板部４１の互いに対称する二辺間の中心線に沿って設置され、前記二枚の係止片部４４ａ，４４ｂは、前記柱部４２と同形の上端より下端が広い台形に形成されて、該係止片部４４ａ，４４ｂと柱部４２の互いの面同士を向き会わせると共に、これら二枚の係止片部４４ａ，４４ｂが柱部４２を挟んで互いに向き合って八の字状に裾開きするように対称して突設設置される。また、前記取付板部４０は小窓３８，３９より大きい外郭形状に形成されて前記柱部４２と平行する凸条４５ａ，４５ｂが突設設置される。該凸条４５ａ，４５ｂは、外側及び両端側で小窓３８，３９の周縁に嵌合して、取付板部４１の外周縁部が小窓３９の外周壁面に止着させるように設置される。そして、該係合部材４０は、一対の係止片部４４ａ，４４ｂを小窓３８，３９を介して挿入すると一対の係止片部４４ａ，４４ｂの裾端が台板１６の支持片２２の内側面に係止して抜け脱不能な状態になると同時に、凸条４５ａ，４５ｂが小窓３８，３９に嵌合することによりガタツクことなくしっかりと装着させることができ、カバー体１８の係止機能と封印機能を果たす。
【００２４】
また、前記係合部材４０は、図７に示すように、柱部４２の幅ａを一対の係止片部４４ａの幅ｂ及び係止片部４４ｂの幅ｃより狭い細幅にすると共に、一方の係止片部４４ａの幅ｂを他方の係止片部４４ｂの幅ｃより狭い幅で、且つ柱部４２の幅ａより広い幅に形成し、細幅の係止片部４４ａを表側にして小窓３８，３９に装着することにより、カバー体１８の透明板３５を介して裏側となる他方の係止板部４４ｂの破損の有無を容易に視認できるようにするのが好ましい。このとき小窓３８，３９は、図８に示すように上部を係止片部４４ａの幅ｂと等しくし、下部を係止片部４４ｂの幅ｃと等しくした凸型にすることで係合部材４０の挿入方向が決まるようにするのが好ましい。
【００２５】
更に、前記係合部材４０は、図９及び図１０に示すように、表側となる一方の係止片部４４ａの一方又は両方の縁部に切欠部４６，４６を穿設すると共に、柱部４２の一方又は両方の縁部の前記切欠部４６，４６と重合する個所に係止片部４４ａの切欠部４６より梢々大きめの切欠部４７，４７を設けるのが好ましい。この場合、柱部４２は切欠部４７に代えて係止片部４４ａ，４４ｂより狭い細幅にすることにより、カバー体１８の透明板３５を介して裏側となる他方の係止板部４４ｂの破損の有無を容易に視認できるようにするのが好ましい。なお、柱部４２を細幅にするか、若しくは切欠部４７を設けるかは、任意に選択して形成することができること勿論である。
【００２６】
また更に、前記台板１６は、図１１及び１２に示すように、台板１６の支持片２２の内側に、小窓３８を囲むコ字状の囲み枠４８を設置し、回路基板１７を設置した状態において、該回路基板１７と囲み枠４８とで５面が囲まれ、且つ前面側を開放する小室４９を形成する。そして、係合部材４０は、細幅又は切欠部４６を有する一方の係止片部４４ａを表側にして挿入することにより、一対の係止片部４４ａ，４４ｂが囲み枠４８の小室４９に隙間なく収められて、一対の係止片部４４ａ，４４ｂの各裾縁を支持片２２の内側壁面に係止する。この状態で、一対の係止片部４４ａ，４４ｂは、外部から両者を摘んで両者の間隔を狭めて、一対の係止片部４４ａ，４４ｂの裾縁を支持片２２の係合から解除することは不可能となる。それ故に、係合部材４０を破壊しない限り封印を解除することができないようになっている。
【００２７】
図１３に示すように、前記囲み枠４８は下端壁４８ａに透孔４８ｂを穿設して、係合部材４０の頭部４３を外部に突出させて設置させるように形成したもであり、この囲み枠４８によれば、係合部材４０は取付板部４１の凸条４５ａ，４５ｂが小窓３８，３９に嵌合すると同時に頭部４３が囲み枠４８の下端壁４８ａに支持されるので、係合部材４０の設置は堅固確実になり、係合部材４０の係止機能と封印機能を更に確実に果たすことが可能となる。
【００２８】
図１４及び図１５は囲み枠の他の形状を示すもので、図１４の囲み枠１４８は、係合部材４０の全体の外郭形状に形成したものである。また、図１５の囲み枠２４８は、係合部材４０の係止片部４４ａ，４４ｂのみを収めて、頭部４３を囲み枠２４８の下端壁２４８ａに設けた透孔２４８ｂから外部に突出させて設置する形状に形成したものである。
【００２９】
なお、図２及び図４に示すように、複数の予備用の係合部材４０がカバー体１８の側面に切り取り容易な状態に設置されている。
【００３０】
本発明に係る基板収納ケース１３は上記構成よりなり、まず、前記回路基板１７を台板１６の金属板１６ａの表面に重ね、各止着孔３０，３０…を介しビス３１，３１…を各突起２１，２１…のねじ孔２０，２０…に螺締して回路基板１７を台板１６に固着する。そして、前記回路基板１７を覆うようにして台板１６にカバー体１８を被せる。即ち、該カバー体１８の下側壁１８ａの掛止片３２を台板１６の下端縁の凹欠部２３に嵌入係合させ、そして、カバー体１８の上側壁１８ｂを台板１６の支持片２２に重ね合わせる。この状態で、台板１６の小窓３８とカバー体１８の小窓３９が重合貫通している。
【００３１】
次に、係合部材４０を一方の係止片部４４ａが表側となるように小窓３８，３９から挿入する。この時に、一対の係止片部４４ａ，４４ｂがその弾性機能により小窓３８，３９により両者の間隔を強制的に狭められて挿入され、取付板部４１の凸条４５ａ，４５ｂが小窓３８，３９の縁部に嵌合した際に、一対の係止片部４４ａ，４４ｂがその弾性機能により両者の間隔が広げられて、各係止片部４４ａ，４４ｂの各裾縁を支持片２２の内壁面に係合して、係合部材４０が抜け脱不可能な状態に装着される。そしてこの係合部材４０は、カバー体１８が台板１６から自然に外れないようにする係止機能と同時に、カバー体１８が無用に開封されることのないようにする解除不能となし得る封印機能を果たす。
【００３２】
このように、前記台板１６にカバー体１８を取付けた状態では、係合部材４０が解除不能に嵌合されて外せないことから、カバー体１８が無用に開封できないようにして、回路基板１７がカバー体１８内に密封される。しかも、仮に、カバー体１８の下側壁１８ａの下端の掛止片３２を台板１６から外したとしても、係合部材４０の装着状態が保持されており、結局は係合部材４０を破壊しない限りカバー体を開封することはできない。それ故に、不正を行うには係合部材４０を破壊することとなり、その痕跡が明らかに残り、しかもその欠損状態は、たとえ裏側の他方の係止片部４４ｂであっても、前面側の細幅若しくは切欠部４６を備えた一方の係止片部４４ａから裏側が視認でき、そしてこの係合部材４０の破損の有無をカバー体１８の透明板３５を通して容易に視認することが可能であって、係合部材４０の破損状態を隠蔽することは極めて困難であるため不正行為が行い難い。また、その不正は容易に発見でき責任の所在も明確化される。
【００３３】
ところで、前記基板収納ケース１３は基板収納ケースの製造メーカーで組み立てられ、回路基板１７を基板収納ケース１３に収め、係合部材４０で係止することにより基板収納ケース１３を密封する。そして、このように密封された基板収納ケース１３は遊技機製造メーカーに納入され、パチンコ遊技機の裏面に透孔２５を介してビス１５を螺締することにより装着され、可変表示装置など各種部品から引き出される配線６５先端の接続用コネクター６５ａが各入出力用コネクター２８，２８…に接続される。
【００３４】
例えば遊技機製造メーカーまたはパチンコ遊技機が納入されたパチンコホールで基板収納ケース１３を検査するには、ニッパー等の工具を用いて係止している前記係合部材４０を破壊し、カバー体１８を開放してＲＯＭ２６を検査する。検査後は再びカバー体１８を取り付け、該カバー体１８に備える予備の係合部材４０を使用して小窓３９，３９に差し込むことにより、係合部材４０が抜脱不能な状態に装着され、基盤収納ケース１３を再び密封する。ケース体１８には３個の予備の係合部材４０が切り離し容易な状態で一体に備えられているので、同じ作用を繰り返すことによってＲＯＭ２６の検査が３回行なえるようになっている。
【００３５】
【発明の効果】
以上述べたように、本発明に係る遊技機における基板収納ケースは、台板にカバー体を設置維持する係止機能と共に、カバー体を取り付けた状態で解除不能となし得る封印機能を備えた係合手段によって、前記カバーが無用に開封できないようにしたので、前記係合手段を破壊しない限りカバー体を取り外すことができず、これにより、ＲＯＭを交換して改造するといった不正行為を防止することができる。
【００３６】
また、本発明の係合部材は、表面側に位置する一方の係合片部から裏側の係合片部の破損状態を視認で切るようになっており、しかもこの係合部材は、カバー体の表面に設けられた透明板を介して係合部材の破損の有無を容易に視認できるので不正行為を容易に発見することが可能となり、しかも、複数の予備の係合部材を設けてあるので、ＲＯＭの検査は予備の係合部材の数だけ繰り返し可能となり、遊技機製造メーカーやパチンコホールなど複数回の検査に充分対応でき、基盤収納ケースの再利用が可能となるという効果が有る。
【図面の簡単な説明】
【図１】本発明が適用されるパチンコ遊技機の裏面図である。
【図２】遊技機の裏面に設置された基板収納ケースを拡大して示す斜視図である。
【図３】基盤収納ケースの平面図である。
【図４】基盤収納ケースの分解斜視図である。
【図５】係合部材の拡大斜視図である。
【図６】係合部材を基板収納ケースに設置した要部断面図である。
【図７】柱部と一方の係止片部を細幅に形成した他の形状の係合部材の正面図である。
【図８】図７の係合部材を挿入する小窓の正面図である。
【図９】柱部と一方の係止片部に切欠部を設けた更に他の係合部材の斜視図である。
【図１０】図９の係合部材の正面図である。
【図１１】台板の小窓に仕切枠を設けて示す封印装置の要部拡大斜視図である。
【図１２】仕切枠に係合部材を設置して示す要部断面図である。
【図１３】係合部材の頭部を突き出して設置した他の形状の仕切枠を示す正面図である。
【図１４】係合部材の外郭形状に沿って囲む他の形状の仕切枠示す正面図である。
【図１５】係合部材の係止片部のみを囲んで頭部を突出させて設置する更に他の仕切枠を示す正面図である。
【符号の説明】
１３                    基板収納ケース
１６                    台板
１７                    回路基板
１８                    カバー体
１８ａ                  下側壁
１８ｂ                  上側壁
２２                    支持片
２３                    凹欠部
３２                    掛止片
３８，３９              小窓
４０                    係合部材
４１                    取付板部
４２                    柱部
４３                    頭部
４４ａ，４４ｂ          係止片部
４６                    切欠部
４７                    切欠部
４８                    囲い壁
４８ａ                  下端壁
４８ｂ                  透孔
４９                    小室
【図１】
0004359351.tif 000002
【図２】
0004359351.tif 000003
【図３】
0004359351.tif 000004
【図４】
0004359351.tif 000005
【図５】
0004359351.tif 000006
【図６】
0004359351.tif 000007
【図７】
0004359351.tif 000008
【図８】
0004359351.tif 000009
【図９】
0004359351.tif 000010
【図１０】
0004359351.tif 000011
【図１１】
0004359351.tif 000012
【図１２】
0004359351.tif 000013
【図１３】
0004359351.tif 000014
【図１４】
0004359351.tif 000015
【図１５】
0004359351.tif 000016